(57)【特許請求の範囲】
【請求項１】
左右対称の差込み挟持ブロックと、跳ね上げ回動扉と、で構成されて冷蔵庫の棚板の前面に装着される冷蔵庫用冷気遮断装置であって、
前記差込み挟持ブロックは、弾性ならびに柔軟性を有する合成樹脂素材または天然ゴムで一体成型されて形成され、上方部には前記跳ね上げ回動扉の係止切欠部に当接して係止される係止マウント部を形成し、中央部には前記跳ね上げ回動扉の回動軸部が嵌められる回動軸穴を形成し、内側方向には前記跳ね上げ回動扉が後方に傾斜することを制限するストッパー凸部を突設し、下方部奥行き方向には前記棚板が差し込まれる差込み挟持部を形成して成り、
前記跳ね上げ回動扉は、矩形の平板の下方部両側には前記係止マウント部が係止される係止切欠部を設けると共に、該平板の下方端には回動軸部の中心部を平板の背面から平板の厚み寸法分前方にずらして設けられることを特徴とする冷蔵庫用冷気遮断装置。
【請求項２】
左右対称の前記差込み挟持ブロックと、前記跳ね上げ回動扉と、垂下回動扉と、で構成されて冷蔵庫の棚板の前面に装着される冷蔵庫用冷気遮断装置であって、
前記跳ね上げ回動扉は、矩形の平板の下方部両側には前記係止マウント部が係止される係止切欠部を設けると共に、該平板の下方端には回動軸部の中心部を平板の背面から平板の厚み寸法分前方にずらして設け、さらに該回動軸部の両端中心部に回動凹部を形成して成り、
前記垂下回動扉は、矩形の平板の上方部には前記差込み挟持ブロックの係止マウント部に当接して係止される係止切欠部を設け、該両端の内側に回動凸部を形成して成り、
前記跳ね上げ回動扉の回動凹部に前記垂下回動扉の回動凸部を嵌め込んで回動することを特徴とする請求項１記載の冷蔵庫用冷気遮断装置。
【請求項３】
差込み挟持部を形成する取付けステーの両端に左右対称の前記差込み挟持ブロックを連接して一体成形したことを特徴とする請求項1または請求項２記載の冷蔵庫用冷気遮断装置。
【請求項４】
冷蔵庫の棚板の前面に差込み挟持部の下方を省略した左右対称の前記差込み挟持ブロックを連接して一体成形したことを特徴とする請求項1または請求項２記載の冷蔵庫用冷気遮断装置。
【発明の詳細な説明】
【技術分野】
【０００１】
本発明は、冷蔵庫内の冷蔵収納室毎の冷気を確実に遮断すると共に、両手を使っての品物の出し入れを可能とし、さらに新規ならびに使用中の冷蔵庫に後付けで装着することができる簡易形状の冷蔵庫用冷気遮断装置に関する。
【背景技術】
【０００２】
一般家庭で使用される電気製品で消費される電力のうち、コンセントをつけっ放しの状態にした待機消費電力が占める割合は全体の約６％とされ、その割合を家庭一世帯の電力使用量に当てはめると、待機時消費電力の総量は年間２８５ｋｗｈに上り、電力量１ｋｗｈあたり２２円で計算すると年間６.２７０円の電気料金が掛かるものと試算されている。その中で最も待機時消費電力を消費するのが冷蔵庫で、全体消費量の約１４．２％を占め、その消費量を年間の電気料金に換算すると約８８６円にも上ることから、一般家庭で行うことができる節電対策としては、ドアの開閉頻度や開閉時間を少なくすることや、必要なものを素早く取る、冷蔵庫内に必要以上の品物を詰め過ぎない、冷蔵庫内の温度設定を季節によってこまめに調節するなどの処置をとることで待機消費電力の消費量を抑えることができるが、実際にその行動を日常生活を営む中で習慣的に行うことは難しく、消費者ニーズとしては、それらの省エネ機能が冷蔵庫の製品仕様として備わっていることが望まれるものであった。
【０００３】
しかしながら、製造メーカーとしてそれらの省エネ機能を標準装備するには莫大な研究開発費の投入ならびに製品価格の高騰に繋がることから,現在に至るまで本格的な冷気遮断機能を備える冷蔵庫の販売は実現されることはなかった。そこで単純な小型・軽量の省エネ対策装置を装備することによって、一定の省エネ効果が得られることになれば消費者ならびに製造メーカーにとって両得となることから、従来より冷蔵庫内の冷気が外部に流出することを遮断するカーテン方式、横開放ドア方式、シャッター方式、スライド収納方式などの多様な冷気遮断装置が提案され、周知技術となっている。
【０００４】
例えば、上記カーテン方式の暖簾式に関しては、突っ張り棒で上部を吊持して取り付けられることによりカーテン自体が揺らいで取り出し難いことや、取り出し口が上部から下部に亘るため開口口が大きくなることによって冷気遮断効果が低下する問題があるもので、またスライド式に関しては、冷蔵庫開閉面の半分が閉鎖状態になることや、取り出す際の回動扉の開け閉めの作業の煩わしさが残るといった問題点があるものであった。
【０００５】
また横開放ドア方式に関しては、開放ドアの取り付け手段が冷蔵庫の内壁面に取り付けられることから製造時における部品調達と取り付け作業コストの増大に繋がると共に、開閉領域が冷蔵庫の幅寸法を要することから開閉スペースの確保が困難になるといった問題点があるものであった。
【０００６】
またシャッター方式に関しては、作動扉が屈曲自在のシャッター構造となることから部品コストの増大に繋がり、取り付け構造も複雑になるといった問題点があるものであった。
【０００７】
またスライド収納方式に関しては、部品のコスト増大に繋がると同時に取り付け手段が冷蔵庫の内壁面に取り付けられることから部品構造が複雑になると共に、製造ならびに作業コストの増大に繋がるといった問題点があるものであった。
【０００８】
そこで、従来より上記の問題点を解決しようとする提案がなされている。例えば、冷蔵庫本体の前面枠へ樹脂膜を接着し、その樹脂膜に棚板毎に取り出し口を配設すると共にその取り出し口の上に蓋を接着して取り出し口から物の出し入れができるようにした「冷蔵庫用省エネスクリーン」（特許文献１参照）が提案されている。
【０００９】
しかしながら上記提案は、樹脂膜を冷蔵庫本体の前面枠へ接着する手段を選択していることから、低温での経年接着効果が疑問視されると共に、樹脂膜を冷蔵庫本体の前面枠に装着するには、製造段階における取り付け作業の困難さが予想され、さらに使用段階における使い勝手や、樹脂膜のメンテナス管理や修理・保全の問題が残るものであった。
【００１０】
また、単数又は複数の蓋付き開閉窓が設けられるシート状の冷気遮断カーテンにおいて、該開閉窓の左右両側にカーテンの柔軟性を補強するテープを数ｃｍ間隔に貼着した「間口自在調整型冷蔵庫等の省エネルギーカーテン」（特許文献２参照）が提案されている。
【００１１】
しかしながら上記提案は、冷気遮断カーテンを突っ張り棒で吊持する方法を採用しているため取り付け状態が不安定であると共に、開閉窓を開放したときに開閉扉自体を片手で持って維持しなければならないため両手で品物を出し入れすることができない問題があると共に、冷蔵庫の棚段の間隔と冷気遮断カーテンの開閉窓の間隔を合わせる必要があることから、その冷蔵庫専用の冷気遮断カーテンとして提供されるには問題ないが、製造メーカーが異なる後付け商品として販売することができない問題点があった。
【００１２】
また、前扉を開いても庫内の冷気流出を最小限に留め、庫内の温度が上昇しない構造とした「冷気流出防止扉付冷蔵庫」（特許文献３参照）が提案されている。
【００１３】
しかしながら上記提案は、冷蔵庫内の最上段の棚板に取り付けることができないため、最上段の冷蔵収納室の冷気流出を防止することができないものであり、また開閉窓を開放したときに開閉状態を片手で持って維持しなければならないため両手で品物を出し入れすることができないことや、取っ手に相当する部分が三角状の隙間となっているため冷却遮断効果の低下が懸念される問題や、後付けする場合に各段毎に突っ張り棒を跨設しなければならず取り出す際の邪魔になる問題があるものであった。
【００１４】
以上のような冷蔵庫内の冷気が外部に流出することを遮断する冷蔵庫用冷気遮断装置は、各冷蔵収納室毎の冷気遮断を確実に行える構造、冷気遮断装置が簡単に取り付けることができる構造、品物の出し入れが両手でできる構造、製造コストが低廉な構造、装置自体が小型且つ軽量である構造、新規ならびに現在使用中の冷蔵庫に後付けで装着できる構造などの消費者ニーズを満足させることができるものではなかった。
【００１５】
本出願人は上記における問題点と、冷蔵庫の冷蔵収納室を仕切る棚板に上方に回動する回動扉を挟着する構造で冷蔵庫内の冷気を個別に遮断して冷気の流出を阻止する冷蔵庫用の冷気遮断装置が未だ提案されていない現状に着目し、簡単な付属部品を用いてそれらの問題点を一挙に解決することができないものかという着想の下、冷蔵庫内の冷蔵収納室毎の冷気を確実に遮断すると共に、両手を使っての品物の出し入れを可能とし、さらに新規ならびに使用中の冷蔵庫に後付けで装着することができる簡易形状の冷蔵庫用冷気遮断装置を開発し、本発明における「冷蔵庫用冷気遮断装置」の提案に至るものである。
【先行技術文献】
【特許文献】
【００１６】
【特許文献１】公開実用新案昭５７-１５３９８７号公報
【特許文献２】特開昭５８-８０４８１号公報
【特許文献３】特開２０００-２７４９２９号公報
【発明の概要】
【発明が解決しようとする課題】
【００１７】
本発明は、上記問題点に鑑み、冷蔵庫内の冷蔵収納室毎の冷気を確実に遮断すると共に、両手を使っての品物の出し入れを可能とし、さらに新規ならびに使用中の冷蔵庫に後付けで装着することができる簡易形状の冷蔵庫用冷気遮断装置の提供を図ることを目的とする。
【課題を解決するための手段】
【００１８】
本発明の冷蔵庫用冷気遮断装置は、上記目的を達成するためになされるもので、左右対称の差込み挟持ブロックと、跳ね上げ回動扉と、で構成されて冷蔵庫の棚板の前面に装着される冷蔵庫用冷気遮断装置であって、前記差込み挟持ブロックは、弾性ならびに柔軟性を有する合成樹脂素材または天然ゴムで一体成型されて形成され、上方部には前記跳ね上げ回動扉の係止切欠部に当接して係止される係止マウント部を形成し、中央部には前記跳ね上げ回動扉の回動軸部が嵌められる回動軸穴を形成し、内側方向には前記跳ね上げ回動扉が後方に傾斜することを制限するストッパー凸部を突設し、下方部奥行き方向には前記棚板が差し込まれる差込み挟持部を形成して成り、前記跳ね上げ回動扉は、矩形の平板の下方部両側には前記係止マウント部が係止される係止切欠部を設けると共に、該平板の下方端には回動軸部の中心部を平板の背面から平板の厚み寸法分前方にずらして設けられる手段を採る。
【００１９】
また本発明の冷蔵庫用冷気遮断装置は、左右対称の前記差込み挟持ブロックと、前記跳ね上げ回動扉と、垂下回動扉と、で構成されて冷蔵庫の棚板の前面に装着される冷蔵庫用冷気遮断装置であって、前記跳ね上げ回動扉は、矩形の平板の下方部両側には前記係止マウント部が係止される係止切欠部を設けると共に、該平板の下方端には回動軸部の中心部を平板の背面から平板の厚み寸法分前方にずらして設け、さらに該回動軸部の両端中心部に回動凹部を形成して成り、前記垂下回動扉は、矩形の平板の上方部には前記差込み挟持ブロックの係止マウント部に当接して係止される係止切欠部を設け、該両端の内側に回動凸部を形成して成り、前記跳ね上げ回動扉の回動凹部に前記垂下回動扉の回動凸部を嵌め込んで回動する手段を採る。
【００２０】
また本発明の冷蔵庫用冷気遮断装置は、差込み挟持部を形成する取付けステーの両端に左右対称の前記差込み挟持ブロックを連接して一体成形した手段を採る。
【００２１】
また本発明の冷蔵庫用冷気遮断装置は、冷蔵庫の棚板の前面に差込み挟持部の下方を省略した左右対称の前記差込み挟持ブロックを連接して一体成形した手段を採る。
【発明の効果】
【００２２】
本発明の冷蔵庫用冷気遮断装置によれば、冷蔵庫内の棚段毎の冷蔵収納室を跳ね上げ回動扉と垂下回動扉の回動によって効果的に塞ぐことができるため、従来に増して冷気遮断効果が得られるといった優れた効果を奏する。
【００２３】
また本発明の冷蔵庫用冷気遮断装置によれば、着脱自在な差込み挟持ブロックと跳ね上げ回動扉と垂下回動扉で構成されるため、それらが簡単に棚板に装着できると共に、使用に当たってはワンタッチで回動扉の開閉ができるといった優れた効果を奏する。
【００２４】
また本発明の冷蔵庫用冷気遮断装置によれば、全ての冷蔵収納室の冷気の遮断が回動式の回動扉で操作できるため開閉作業が単純であると共に、回動扉を開放した状態で係止することができる機能を備えているため、両手で品物の出し入れが容易にできるといった優れた効果を奏する。
【００２５】
また本発明の冷蔵庫用冷気遮断装置によれば、装置自体が小型且つ軽量に製造されることによって、製造コストの低廉が図れるといった優れた効果を奏する。
【００２６】
また本発明の冷蔵庫用冷気遮断装置によれば、差込み挟持部を形成する取付けステーの両端に左右対称の差込み挟持ブロックを連接して一体成形することによって、部品点数の削減と製造コストの低廉が図れると共に、回動扉の係止効果が確実に実行されるといった優れた効果を奏する。
【００２７】
冷蔵庫の棚板の前面に差込み挟持部の下方を省略した左右対称の差込み挟持ブロックを連接して一体成形することによって、さらなる部品点数の削減と製造コストの低廉が図れると共に、回動扉の係止効果が確実に実行されるといった優れた効果を奏する。
【００２８】
また本発明の冷蔵庫用冷気遮断装置によれば、単品で製造ならびに販売することが可能であることから、新規ならびに使用中の冷蔵庫に後付けで装着することができるといった優れた効果を奏する。
【図面の簡単な説明】
【００２９】
【図１】本発明の冷蔵庫用冷気遮断装置における請求項１記載の実施形態を示す分解斜視図である。（実施例１）
【図２】本発明の冷蔵庫用冷気遮断装置における請求項１記載の実施形態を示す全体斜視図である。
【図３】本発明の冷蔵庫用冷気遮断装置における請求項２記載の実施形態を示す分解斜視図である。（実施例２）
【図４】本発明の冷蔵庫用冷気遮断装置における請求項２記載の実施形態を示す全体斜視図である。
【図５】本発明の冷蔵庫用冷気遮断装置における跳ね上げ回動扉の設置状態を示す模式的説明図である。
【図６】本発明の冷蔵庫用冷気遮断装置における跳ね上げ回動扉の開閉状態を示す模式的説明図である。
【図７】本発明の冷蔵庫用冷気遮断装置における跳ね上げ回動扉の最下段の開閉状態を示す模式的説明図である。
【図８】本発明の冷蔵庫用冷気遮断装置における垂下回動扉の最下段の開閉状態を示す模式的説明図である。
【図９】本発明の冷蔵庫用冷気遮断装置における請求項３記載の実施形態を示す全体斜視図である。（実施例３）
【図１０】本発明の冷蔵庫用冷気遮断装置における請求項４記載の実施形態を示す全体斜視図である。（実施例４）
【発明を実施するための形態】
【００３０】
本発明の冷蔵庫用冷気遮断装置１０は、左右対称の差込み挟持ブロック２０と、跳ね上げ回動扉３０と、で構成されて冷蔵庫Ｒの棚板５０の前面に装着される冷蔵庫用冷気遮断装置１０であって、差込み挟持ブロック２０は、弾性ならびに柔軟性を有する合成樹脂素材または天然ゴムで一体成型されて形成され、上方部には跳ね上げ回動扉３０の係止切欠部３４に当接して係止される係止マウント部２１を形成し、中央部には跳ね上げ回動扉３０の回動軸部３１が嵌められる回動軸穴を２３形成し、内側方向には跳ね上げ回動扉３０が後方に傾斜することを制限するストッパー凸部２５を突設し、下方部奥行き方向には棚板５０が差し込まれる差込み挟持部２４を形成して成り、跳ね上げ回動扉３０は、矩形の平板の下方部両側には係止マウント部２１が係止される係止切欠部３４を設けると共に、該平板の下方端には回動軸部３１の中心部を平板の背面から平板の厚み寸法分前方にずらして設けられる手段を採ったことを最大の特徴とする。以下、本発明の実施形態を図面を基に説明する。
【００３１】
尚、本発明における冷蔵庫用冷気遮断装置１０は、以下に述べる実施例に限定されるものではなく、本発明の技術的思想の範囲内、すなわち同一の作用効果を発揮できる形状及び寸法の範囲内で適宜変更することができる。
【実施例１】
【００３２】
図１は、本発明の冷蔵庫用冷気遮断装置における請求項１記載の実施形態を示す分解斜視図であり、図２は、本発明の冷蔵庫用冷気遮断装置における請求項１記載の実施形態を示す全体斜視図である。
本発明の冷蔵庫用冷気遮断装置１０は、左右対称の差込み挟持ブロック２０と跳ね上げ回動扉３０の極めて少数の部品点数で構成され、冷蔵庫Ｒの棚板５０の前面に装着される冷蔵庫Ｒ内の冷蔵収納室Ｈ毎の冷気遮断を行うものである。
【００３３】
差込み挟持ブロック２０は、上方部に跳ね上げ回動扉３０の係止切欠部３４に当接して係止される係止マウント部２１を形成し、中央部には跳ね上げ回動扉３０の回動軸部３１が嵌められる回動軸穴２３を形成し、内側方向には跳ね上げ回動扉３０が後方に傾斜することを制限するストッパー凸部２５を突設し、下方部奥行き方向には棚板５０が差し込まれる差込み挟持部２４を形成して成るもので、弾性ならびに柔軟性を有する合成樹脂素材または天然ゴム等で形成される。また、全体を硬質樹脂素材で形成し、係止マウント部２１と、係止内壁部２２aならびに係止外壁部２２bを嵌め込み式やシート状にして弾性ならびに柔軟性を有する合成樹脂素材または天然ゴム等で形成しても良い。
【００３４】
係止マウント部２１は、差込み挟持ブロック２０の上方に半円状に形成されて、跳ね上げられた跳ね上げ回動扉３０の係止切欠水平部３４aが当接して係止される箇所である。
【００３５】
係止内壁部２２aは、差込み挟持ブロック２０の内側に前方が肉薄となるテーパー状に形成されて、跳ね上げられた跳ね上げ回動扉３０の係止切欠垂直部３４ｂが当接して係止される箇所で、上記係止マウント部２１を利用した場合と同様な係止効果を得る手段として補助的に利用される。
【００３６】
跳ね上げ回動扉３０は、矩形の平板の下方部両側には係止マウント部２０が係止される係止切欠部３４を設けると共に、該平板の下方端には回動軸部３１の中心部を平板の背面から平板の厚み寸法分前方にずらして設けられる透明な合成樹脂製の跳ね上げ式の回動扉であり、冷却時には上方に跳ね上げられることによって、係止切欠部３４が差込み挟持ブロック２０の係止マウント部２１に当接して確実に係止されると共に、出し入れ時には自重でもって自然に垂下状態となることによって、両手を使って品物の出し入れが容易にできる形状に形成される。
【００３７】
係止切欠部３４は、跳ね上げ回動扉３０の下端両側に係止切欠水平部３４aと係止切欠垂直部３４bとで構成されて形成され、その係止切欠水平部３４aは、差込み挟持ブロック２０の係止マウント部２１が当接して係止される箇所である。
【００３８】
係止切欠垂直部３４bは、前方が肉薄となるテーパー状に形成された差込み挟持ブロック２０の係止内壁部２２aが当接して係止される箇所で、上記係止マウント部２１を利用した場合と同様な係止効果を得る手段として利用される。
【００３９】
棚板５０は、冷蔵庫Ｒの内壁に設けられる棚段Ｔに載置される矩形の平板状に形成されるもので、製造メーカーで製造される棚板を利用するものである。
【００４０】
以上で構成される冷蔵庫用冷気遮断装置１０は、従来の複雑且つ大型の冷気遮断装置とは異なり、小型・軽量な冷気遮断装置であるため、メーカー標準部品としては元より後付けの省エネ対策商品として単独で販売することもできる。
【００４１】
また、本発明の冷蔵庫用冷気遮断装置１０は、取り付け手段における冷蔵庫Ｒ内の最上段の棚板Ｔに取り付けることができないため最上段の冷蔵収納室Ｈは冷気遮断が確実に図れない問題、開閉窓を開放したときに開閉状態を片手で持って維持しなければならないため両手で品物を出し入れすることができない問題、取っ手に相当する部分が三角状の隙間となっているため冷却遮断効果の低下が懸念される問題、後付けする場合に各段毎に突っ張り棒を跨設しなければならず取り出す際の邪魔になるなどの問題点を解決していることから、本明細書中の段落[００１４]において記載した「冷気流出防止扉付冷蔵庫」（特許文献３参照）とは冷蔵収納室Ｔ毎に冷気を遮断する手段を用いている点では共通しているが、その作用効果において著しい差異があると共に、その解決手段においても全く異なる方法を採用している。
【実施例２】
【００４２】
図３は、本発明の冷蔵庫用冷気遮断装置における請求項２記載の実施形態を示す分解斜視図であり、図４は、本発明の冷蔵庫用冷気遮断装置における請求項２記載の実施形態を示す全体斜視図である。
本発明の冷蔵庫用冷気遮断装置１０は、左右対称の差込み挟持ブロック２０と跳ね上げ回動扉３０と垂下回動扉４０の極めて少数の部品点数で構成され、冷蔵庫Ｒの棚板５０の前面に装着される冷蔵庫Ｒ内の冷蔵収納室Ｈの冷気遮断を上下二段同時に行うことができる。
【００４３】
差込み挟持ブロック２０は、上方部に跳ね上げ回動扉３０の係止切欠部３４に当接して係止される係止マウント部２１を形成し、中央部には跳ね上げ回動扉３０の回動軸部３１が嵌められる回動軸穴２３を形成し、内側方向には跳ね上げ回動扉３０が後方に傾斜することを制限するストッパー凸部２５を突設し、下方部奥行き方向には冷蔵庫Ｒの棚板５０が差し込まれる差込み挟持部２４を形成して成るもので、弾性ならびに柔軟性を有する合成樹脂素材または天然ゴム等で形成される。また、全体を硬質樹脂素材で形成し、係止マウント部２１と、係止内壁部２２aならびに係止外壁部２２bを嵌め込み式やシート状にして弾性ならびに柔軟性を有する合成樹脂素材または天然ゴム等で形成しても良い。
【００４４】
係止マウント部２１は、差込み挟持ブロック２０の上方に半円状に形成されて、跳ね上げられた垂下回動扉４０の係止切欠水平部４３aが当接して係止される箇所である。
【００４５】
係止外壁部２２bは、差込み挟持ブロック２０の内側に前方が肉薄となるテーパー状に形成されて、跳ね上げられた垂下回動扉４０の係止切欠垂直部４３ｂが当接して係止される箇所で、上記係止マウント部２１を利用した場合と同様な係止効果を得る手段として補助的に利用される。
【００４６】
跳ね上げ回動扉３０は、矩形の平板の下方部両側には係止マウント部２０が係止される係止切欠部３４を設けると共に、該平板の下方端には回動軸部３１の中心部を平板の背面から平板の厚み寸法分前方にずらして設け、さらに該回動軸部３１の両端中心部に回動凹部３２を形成して成る透明な合成樹脂製の跳ね上げ式の回動扉であり、冷却時には上方に跳ね上げられることによって、係止切欠部３４が差込み挟持ブロック２０の係止マウント部２１に当接して確実に係止されると共に、出し入れ時には自重でもって自然に垂下状態となることによって、両手を使って品物の出し入れが容易にできる形状に形成される。
【００４７】
垂下回動扉４０は、矩形の平板の上方部には差込み挟持ブロック２０の係止マウント部２１に当接して係止される係止切欠部４３を設け、該両端の内側に回動凸部４１を形成し、跳ね上げ回動扉３０の回動凹部３２に垂下回動扉４０の回動凸部４１を嵌め込み回動させて垂下回動扉４０を垂下状態とするものである。尚、跳ね上げ回動扉３０の回動凹部３２と垂下回動扉４０の回動凸部４１の凹凸形状は、互いに逆の形状をもって形成することもできる。
【００４８】
係止切欠部４３は、垂下回動扉４０の上端内側に係止切欠水平部４３aと係止切欠垂直部４３bとで構成されて形成され、その係止切欠水平部４３aは、差込み挟持ブロック２０の係止マウント部２１が当接して係止される箇所である。
【００４９】
係止切欠垂直部４３ｂは、前方が肉薄となるテーパー状に形成された差込み挟持ブロック２０の係止外壁部２２ｂが当接して係止される箇所で、上記係止マウント部２１を利用した場合と同様な係止効果を得る手段として利用される。
【００５０】
以上で構成される冷蔵庫用冷気遮断装置１０は、従来の複雑且つ大型の冷気遮断装置とは異なり小型・軽量な冷気遮断装置であるため、メーカー標準部品としては元より後付けの省エネ対策商品として単独で販売することもできる。
【００５１】
図５は、本発明の冷蔵庫用冷気遮断装置における跳ね上げ回動扉の設置状態を示す模式的説明図である。
図示は棚段Ｔが４段、冷蔵収納室Ｈが５室の冷蔵庫Ｒに装着される場合の一例を示すもので、冷蔵庫Ｒの最上段ならびに中段の棚段Ｔに請求項1記載の冷蔵庫用冷気遮断装置１０を載置し、最下段の棚段Ｔには請求項２記載の冷蔵庫用冷気遮断装置１０を載置して使用されるもので、全ての段の冷蔵収納室Ｈに収納されている品物は跳ね上げ回動扉３０と垂下回動扉４０とによってワンタッチで出し入れすることができる。
【００５２】
以上で構成される本発明の冷蔵庫用冷気遮断装置１０は、跳ね上げ回動扉３０と垂下回動扉４０を冷蔵庫Ｒの棚段Ｔの段数に合わせて任意に組み合わせて装着することによって、冷蔵庫Ｒの冷蔵収納室Ｈ毎に冷気遮断するものである。
【００５３】
図６は、本発明の冷蔵庫用冷気遮断装置における跳ね上げ回動扉の開閉状態を示す模式的説明図である。
図６（a）は、冷蔵庫用冷気遮断装置１０が冷蔵庫Ｒの最上段ならびに中段の棚段Ｔに載置されている状態を示すもので、跳ね上げられた跳ね上げ回動扉３０は、その上の棚段Ｔの冷蔵収納室Ｈの前方を遮断する状態となる。下段の跳ね上げ回動扉３０は上段の跳ね上げ回動扉３０の下方に限りなく隙間を小さくして冷蔵庫Ｒの冷蔵収納室Ｈ毎に冷気遮断するものである。
【００５４】
図６（b）は、上段の冷蔵収納室Ｈの品物を取り出し時の状態を示すもので、跳ね上げ回動扉３０の上端を指で軽く手前に引き起こすことによって、跳ね上げ回動扉３０の係止切欠水平部３４aが差込み挟持ブロック２０の係止マウント部２１の係合状態から外れて下方に自然垂下する状態となる。
【００５５】
以上で構成される冷蔵庫用冷気遮断装置１０は、跳ね上げ回動扉３０によって冷蔵庫Ｒの最上段ならびに中段の冷蔵収納室Ｈ毎の冷気遮断を図ると共に、跳ね上げ回動扉３０に指を僅かに触れるだけで回動扉の開閉と品物の出し入れがワンタッチでできる。
【００５６】
図７は、本発明の冷蔵庫用冷気遮断装置における跳ね上げ回動扉の最下段の開閉状態を示す模式的説明図である。
本発明の冷蔵庫用冷気遮断装置１０が、冷蔵庫Ｒの最下段の棚段Ｔに載置されている状態を示すもので、上段の跳ね上げ回動扉３０を開放する際は、下段の冷蔵収納室Ｈの前方を遮断する垂下回動扉４０と重なる状態となる。
【００５７】
図８は、本発明の冷蔵庫用冷気遮断装置における垂下回動扉の最下段の開閉状態を示す模式的説明図である。
本発明の冷蔵庫用冷気遮断装置１０が、冷蔵庫Ｒの最下段の棚段Ｔに載置されている状態を示すもので、最下段の垂下回動扉４０を開放する際は、上段の冷蔵収納室Ｈの前方を遮断する跳ね上げ回動扉３０と重なる状態で使用される。その時、垂下回動扉４０は、上段の冷蔵収納室Ｈの前方を塞ぐと共に、垂下された垂下回動扉４０は最下段の冷蔵収納室Ｈの前方を遮断する構造で使用される。
また、取り出し時には上方に回動された垂下回動扉４０は差込み挟持ブロック２０の係止マウント部２１によって確実に当接して係止される状態となると共に、該平板の下方端には回動軸部３１の中心部を平板の背面から平板の厚み寸法分前方にずらして設けられることによって、図８の（ｂ）ならびに上記図７の（ｂ）に示すように下段の垂下回動扉４０と重複することがなく跳ね上げ回動扉３０を開閉することができる。
【実施例３】
【００５８】
図９は、本発明の冷蔵庫用冷気遮断装置における請求項３記載の実施形態を示す全体斜視図である。
差込み挟持部２４を形成する取付けステー２６の両端に左右対称の差込み挟持ブロック２０を連接して一体成形することによって、部品点数の削減と製造コストの低廉を図ると共に、左右対称の差込み挟持ブロック２０間が完全に固定されるため、差込み挟持ブロック２０の係止効果が確実に実行される。
【実施例４】
【００５９】
図１０は、本発明の冷蔵庫用冷気遮断装置における請求項４記載の実施形態を示す全体斜視図である。
冷蔵庫Ｒの棚板５０の前面に差込み挟持部の下方を省略した左右対称の差込み挟持ブロック２０を連接して一体成形することによって、さらなる部品点数の削減と製造コストの低廉を図ると共に、左右対称の差込み挟持ブロック２０間が完全に固定されるため、差込み挟持ブロック２０の係止効果が確実に実行される。また、係止マウント部２１ならびに係止内壁部２２aと係止外壁部２２bにおける当接係止面の表面材質を弾性が高い緩衝材や嵌め込み部材とすることで係止能力を高めることもできる。
【産業上の利用可能性】
【００６０】
本発明の冷蔵庫用冷気遮断装置は、各冷蔵収納室毎の冷気遮断を確実に行える構造、冷気遮断装置が簡単に取り付けることができる構造、品物の出し入れが両手でできる構造、製造コストが低廉な構造、装置自体が小型且つ軽量である構造、新規ならびに使用中の冷蔵庫に後付けで装着できる構造などの消費者ニーズを満足させることができる構造を備えることによって、従来に増して冷蔵庫の消費電力を抑制できることから、本発明における冷蔵庫用冷気遮断装置の産業上の利用可能性は極めて高いものと解する。
【符号の説明】
【００６１】
１０  冷蔵庫用冷気遮断装置
２０  差込み挟持ブロック
２１  係止マウント部
２２a 係止内壁部
２２b 係止外壁部
２３  回動軸穴
２４  差込み挟持部
２５  ストッパー凸部
２６  取付けステー
３０  跳ね上げ回動扉
３１  回動軸部
３２  回動凹部
３３  板面部
３４  係止切欠部
３４a 係止切欠水平部
３４b 係止切欠垂直部
４０  垂下回動扉
４１  回動凸部
４２  板面部
４３  係止切欠部
４３a 係止切欠水平部
４３b 係止切欠垂直部
５０  棚板
Ｒ  冷蔵庫
Ｔ  棚段
Ｈ  冷蔵収納室
【要約】
【課題】冷蔵庫内の冷蔵収納室毎の冷気を確実に遮断すると共に、両手を使っての品物の出し入れを可能とし、さらに新規ならびに使用中の冷蔵庫に後付けで装着することができる簡易形状の冷蔵庫用冷気遮断装置の提供を図る。
【解決手段】本発明を構成する差込み挟持ブロックは、弾性ならびに柔軟性を有する合成樹脂素材または天然ゴムで一体成型されて形成され、上方部には跳ね上げ回動扉の係止切欠部に当接して係止される係止マウント部を形成し、中央部には跳ね上げ回動扉の回動軸部が嵌められる回動軸穴を形成し、内側方向には跳ね上げ回動扉が後方に傾斜することを制限するストッパー凸部を突設し、下方部奥行き方向には棚板が差し込まれる差込み挟持部を形成して成り、跳ね上げ回動扉は、矩形の平板の下方部両側には係止マウント部が係止される係止切欠部を設けると共に、該平板の下方端には回動軸部の中心部を平板の背面から平板の厚み寸法分前方にずらして設けられる手段を採る。
【選択図】図１【図１】
0005643447.tif 000002
【図２】
0005643447.tif 000003
【図３】
0005643447.tif 000004
【図４】
0005643447.tif 000005
【図５】
0005643447.tif 000006
【図６】
0005643447.tif 000007
【図７】
0005643447.tif 000008
【図８】
0005643447.tif 000009
【図９】
0005643447.tif 000010
【図１０】
0005643447.tif 000011